(57)【特許請求の範囲】
【請求項１】
底面部と、後側面部と、上面部と、前側面部を有する野地板換気装置であって、底面部には該野地板換気装置を野地板に固定する固定部が設けられ、後側面部は底面部に立設され、上面部は後側面部に横設され、上面部から前側面部が吊設されてなり、前記後側面部と前記上面部と前記前側面部とにより形成される両側端が開放されているとともに、前側面部はその先端と野地板上の下葺き材との間に５〜１０ｍｍの隙間が生じるように設けられていることを特徴とする野地板換気装置。
【請求項２】
上面部に前側面部を越えて鍔部を延設するか、又は、前側面部に鍔部を横設したことを特徴とする請求項１記載の野地板換気装置。
【請求項３】
底面部下面に止水用シール材を設けたことを特徴とする請求項１又は２記載の野地板換気装置。
【請求項４】
野地板及び下葺き材に開口部を設け、該開口部の後端側に請求項１〜３のいずれか１項に記載の野地板換気装置の上面部が開口部を覆うように底面部を固定し、後方から下葺き材上を流下してくる雨水を野地板換気装置の側方に制御することを特徴とする小屋裏換気方法。
【請求項５】
開口部側端が野地板換気装置側端の５０〜１００ｍｍ内側にあることを特徴とする請求項４に記載の小屋裏換気方法。
【請求項６】
開口部後端と底面部の間に防水土手を設けるか、更に、開口部側端と野地板換気装置側端の間に防水土手を設けるか、更に、開口部前端と前側面部との間に防水土手を設けることを特徴とする請求項４又は５記載の小屋裏換気方法。
【請求項７】
前側面部と前方の瓦の後端が接触し、かつ上面部前端が前方の瓦の後端よりも上方にあることを特徴とする請求項４〜６のいずれか１項に記載の小屋裏換気方法。
【請求項８】
鍔部が下方の瓦上に被さるように配設することを特徴とする請求項４〜７のいずれか１項に記載の小屋裏換気方法。
【発明の詳細な説明】
【技術分野】
【０００１】
本発明は野地板換気装置及び該換気装置を用いた小屋裏換気装置に関し、更に詳しくは、換気口から雨水が入り込みにくく、かつ製造や施工が容易な野地板換気装置、及び該換気装置を用いた小屋裏換気方法に関するものである。
【背景技術】
【０００２】
従来、この種の野地板を利用した換気装置としては、屋根の野地板に開口部を設け、この開口部上に屋根裏換気装置を覆設し、さらにこの上から瓦を葺く屋根裏換気方法が採用されている（特許文献１参照）。
これによると、屋根裏の空気が屋根裏換気装置を通って野地板と瓦の間に排出され、さらに瓦の隙間を通って外気中に排出される。
【特許文献１】特開２００１−２０４８０号
【０００３】
しかしながら、上記の屋根裏換気装置及び屋根裏換気方法には雨漏りがしやすいという欠点がある。即ち、図１３に示すように、通常の場合、野地板７には防水のためにアスファルトルーフィング、ゴムアスルーフィング等の防水性の下葺き材７ａが敷設されているが、この野地板７、下葺き材７ａに開口部８を設けるためここから雨水が浸入するのである。
より詳しくは、この屋根裏換気方法においては、雨が降って瓦Ｔの間から雨水が侵入した場合、屋根の後方（上方）から下葺き材７ａ上を流れてきた雨水は覆設された屋根裏換気装置Ａの上を流れ、その前端部から下葺き材７ａ上に水滴となって落ち、そのまま下葺き材７ａの前方（下方）に流れるようになっている（図１３の破線矢印参照）。
従って、風が強い日には、前方の瓦と瓦の間から風が入り込み、瓦と野地板上の下葺き材の間に屋根前方から後方へ流れる空気流が生じたり、また、台風等の場合には雨水が入り込み開口部８から屋内に侵入する場合もある（図１３の一点鎖線矢印参照）。
【発明の開示】
【発明が解決しようとする課題】
【０００４】
本発明は、かかる実情に鑑み、上記従来技術の問題点を解決し、開口部から雨水が入り込みにくいばかりでなく、前方の瓦と瓦との間からの雨水の侵入を遮断し、かつ製造や施工が容易な野地板換気装置、及び該換気装置を用いた小屋裏換気方法を提供することを課題とする。
【課題を解決するための手段】
【０００５】
上記課題を解決するための請求項１に係る本発明は、底面部と、後側面部と、上面部と、前側面部を有する野地板換気装置であって、底面部には該野地板換気装置を野地板に固定する固定部が設けられ、後側面部は底面部に立設され、上面部は後側面部に横設され、上面部から前側面部が吊設されてなり、前記後側面部と前記上面部と前記前側面部とにより形成される両側端が開放されているとともに、前側面部はその先端と野地板上の下葺き材との間に５〜１０ｍｍの隙間が生じるように設けられていることを特徴とする野地板換気装置を内容とする。
【０００６】
請求項２に係る発明は、上面部に前側面部を越えて鍔部を延設するか、又は、前側面部に鍔部を横設したことを特徴とする請求項１記載の野地板換気装置を内容とする。
【０００７】
請求項３に係る発明は、底面部下面に止水用シール材を設けたことを特徴とする請求項１又は２記載の野地板換気装置を内容とする。
【０００８】
請求項４に係る発明は、野地板及び下葺き材に開口部を設け、該開口部の後端側に請求項１〜３のいずれか１項に記載の野地板換気装置の上面部が開口部を覆うように底面部を固定し、後方から下葺き材上を流下してくる雨水を野地板換気装置の側方に制御することを特徴とする小屋裏換気方法を内容とする。
【０００９】
請求項５に係る発明は、開口部側端が野地板換気装置側端の５０〜１００ｍｍ内側にあることを特徴とする請求項４に記載の小屋裏換気方法を内容とする。
【００１０】
請求項６に係る発明は、開口部後端と底面部の間に防水土手を設けるか、更に、開口部側端と野地板換気装置側端の間に防水土手を設けるか、更に、開口部前端と前側面部との間に防水土手を設けることを特徴とする請求項４又は５記載の小屋裏換気方法を内容とする。
【００１１】
請求項７に係る発明は、前側面部と前方の瓦の後端が接触し、かつ上面部前端が前方の瓦の後端よりも上方にあることを特徴とする請求項４〜６のいずれか１項に記載の小屋裏換気方法を内容とする。
【００１２】
請求項８に係る発明は、鍔部が下方の瓦上に被さるように配設することを特徴とする請求項４〜７のいずれか１項に記載の小屋裏換気方法を内容とする。
【発明の効果】
【００１３】
本発明の野地板換気装置は後側面部が底面部から立設されているため、後方（上方）から下葺き材上を流下してきた雨水が野地板換気装置の側部を迂回し、開口部から流れ込まないという利点がある。
また、前側面部が上面部から吊設されているため、前方（下方）の瓦と瓦の隙間から飛来侵入した雨水がこの前側面部により食い止められ、開口部から屋内に入り込まないという利点がある。
さらに、構造が単純であるため押出成形等により容易に製造でき、安価な野地板換気装置を提供出来るという利点がある。
【００１４】
請求項２に係る発明の野地板換気装置は、鍔部が設けられているため、鍔部が下方の瓦上に被されるように配設することにより、雨水の内部への侵入が阻止されるという利点がある。
【００１５】
請求項３に係る発明の野地板換気装置は底面部下面に止水用シール材が設けられているため、後方から流下してきた雨水が下葺き材と底面部の間に入り込まず、開口部への雨水の流入がより確実に防がれるという利点がある。
【００１６】
請求項４に係る発明の小屋裏換気方法は、野地板及び下葺き材に開口部を設け、該開口部の後端側に、請求項１〜３のいずれか１項に記載の野地板換気装置の上面部が開口部を覆うように底面部を固定し、後方から下葺き材上を流下してくる雨水を野地板換気装置の側方に制御させるとともに、上面部から吊設された前側面部が瓦の隙間から侵入してきた雨水を遮断するため、開口部から雨水が流れ込まないという利点がある。
さらに、構造が単純であるため底面部を釘で野地板（下葺き材を介して）に打ち付けるなどの方法により容易に設置することが出来るという利点がある。
【００１７】
請求項５に係る発明の小屋裏換気方法は、開口部側端が野地板換気装置側端の５０〜１００ｍｍ内側にあるため、瓦と下葺き材の間に横風が吹きつけたとしても、雨水の流れは開口部まで届かず、屋内には流れ込まないという利点がある。
【００１８】
請求項６に係る発明の小屋裏換気方法は、開口部の周囲の一部又は全部に防水土手を設けているため、万一、底面部と野地板の上の下葺き材の間から雨水が漏れ出したとしてもこの防水土手に堰き止められ、雨水の流れは開口部の側部を迂回し、屋内には流れ込まないという利点がある。
【００１９】
請求項７に係る発明の小屋裏換気方法は、上面部前端が前方の瓦の後端よりも上方にあるため、瓦と野地板換気装置（の上面部）の間に段差が生じ、瓦の間から流れ込んだ雨水がこの段差により外側に押し戻され、内部への侵入が防止されるという利点がある。
【００２０】
請求項８に係る発明の小屋裏換気方法は、鍔部を下方の瓦上に被されるように配設することにより、瓦の間から流れ込んだ雨水の侵入が阻止されるという利点がある。
【発明を実施するための最良の形態】
【００２１】
次に、本発明の野地板換気装置、及び小屋裏換気方法を図面に基づいて説明する。
なお、図１は実施例１の斜視図、図２は実施例１のＡ−Ａ線断面図、図３は実施例２の斜視図、図４は実施例２のＡ−Ａ線断面図、図５は実施例３の断面図、図６は実施例４の断面図である。
図７は実施例５の屋根の流れ方向の断面図、図８は同屋根の流れ方向に対して垂直方向の断面図である。
図９は実施例６における開口部の平面図、図１０は実施例７の断面図、図１１は実施例８の断面図、図１２は実施例９の断面図である。図１３は従来例の断面図である。
【００２２】
また、図中、１は本発明の野地板換気装置を、２は底面部を、２ａは固定部を、２ｂは止水用シール材を、３は後側面部を、４は上面部を、４ａは上面部前端を、５は前側面部を、６は野地板換気装置側端を、７は野地板を、７ａは下葺き材を、８は開口部を、８ａは開口部後端を、８ｂは開口部側端を、８ｃは開口部前端を、９は防水土手を、９ａは後部防水土手を、９ｂは側部防水土手を、９ｃは前部防水土手を、１０は鍔部を、Ｔは瓦を、Ｔａは瓦の後端をそれぞれ表す。
Ａは従来例の野地板換気装置を表す。
【００２３】
まず、本発明の野地板換気装置について説明する。
本発明の野地板換気装置１は図１に示すとおり、底面部２と、後側面部３と、上面部４と、前側面部５とからなる。図２に示すとおり底面部２には固定部２ａが設けられる。図２に設けられる固定部２ａは底面部２に穿設された孔であり、ここに釘、ビス等の固定手段で固定することにより野地板換気装置1 を野地板７上に（下葺き材７ａを介して）固定する。尚、他本発明においては野地板換気装置１を野地板７に固定することが出来る方法であればいかなる方法でも採用できる。
【００２４】
底面部２の下面には図３及び図４に示すとおり、止水用シール材２ｂを設けるのが好ましい。これにより、本発明の野地板換気装置１を野地板７に下葺き材７ａを介して取り付けたときに、この止水用シール材２ｂが底面部２と下葺き材７ａの間に介在することになり、底面部２と下葺き材７ａの間から雨水が漏れ出すことを防止することが出来る。
【００２５】
止水用シール材２ｂの材質としては、ＥＰＤＭシーラー、軟質ウレタンフォーム、ポリエチレンフォーム、ブチルゴムシート等が好ましい。止水用シール材２ｂのサイズは底面部２と野地板７の間から雨水が浸入しないよう、底面部２下面の全長に渡って貼り付けられる大きさとする。好ましくは、底面部２下面の全面を止水用シール材２ｂで覆うようにする。ここで、止水用シール材２ｂの厚さは１〜３ｍｍ程度が好ましい。
なお、止水用シール材２ｂは粘着テープ、接着剤などにより底面部２下面に貼り付けるのが好ましく、このような接着剤としてはアクリル接着剤、ブチルゴム接着剤などが好適に用いられる。
【００２６】
後側面部３は底面部２に立設される。図１及び図２においては底面部２から後側面部３が垂設されているが、底面部２と後側面部３の間の角度は特に限定されない。同様に後側面部３の高さも限定されない。即ち、下葺き材７ａを介して野地板７に取り付けた際に、後方から下葺き材上を流下してきた雨水が乗り越えない程度の角度及び長さであればよい。
【００２７】
上面部４は後側面部３から横設されている。本発明においては、この部分で開口部８を覆い、屋内から開口部８を通って上昇してきた空気を開放された両側に分配するとともに、前方の瓦と瓦との隙間から侵入してきた雨水が開口部８内に入るのを防止する。
【００２８】
前側面部５は上面部４から吊設されている。図１３で示す従来例とは異なり、小屋裏の空気を前面部側から排出するようにはなっていないため、野地板７上の下葺き材７ａから前側面部５の下端までの間隔は特に限定されなが、間隔が余り大きいと瓦と瓦との間から侵入した風雨の遮断効果が低下する。従って、万一、前側面部５と開口部８の前端８ｃとの間に侵入した雨水が流下するように５〜１０ｍｍ程度の間隙を開けておくのが好ましい。尚、必要により、前側面部５からの雨水の侵入を阻止するために、前側面部５の下部で野地板７に固定させてもよい。
【００２９】
なお、後側面部３、上面部４、前側面部５は野地板換気装置１の構成上で明確に区別できる必要はない。例えば、図５に示す実施例３のように連続的に設けられ、どこからどこまでが後側面部３、上面部４、前側面部５に該当するか不明であってもよい。この場合、後方から流れる雨水を実質的に側方に移動させる部分が後側面部３であり、開口部８を実質的に覆う部分が上面部４であり、前方から飛来する雨水を実質的に遮る部分が前側面部５である。
【００３０】
本発明の野地板換気装置１は、図６に示すように、鍔部１０を設けることができる。図中では鍔部１０は、上面部４に前側面部５を越えて延設された例が示されているが、破線で示すように、前側面部５の任意の位置から外方に横設することも可能である。横設は必ずしも水平方向に限られず、斜め方向（斜め上方、斜め下方のいずれでもよい）をも含まれる。この鍔部１０は下方の瓦上に被されるように配設することにより、前方の瓦と瓦との間からの雨水が開口部に入るのを効果的に阻止することができる。
【００３１】
本発明における野地板換気装置１の素材は、雨水に侵食されない素材であれば特に制限されないが、造形性（成形性）、耐久性の面からプラスチック、金属製が好ましい。
本発明に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。
また本発明に用いられる金属としては特に制限されないが、鉄、銅、アルミ、ステンレス等が挙げられる。
【００３２】
なお本発明の野地板換気装置１はその全体で同一の断面を有する長尺構造体とすることも可能であるため、押出成形により容易に製造することが出来、安価な野地換気装置を提供することが出来る。また、一枚の板を折り曲げ加工することによっても得ることが出来る。
【００３３】
次に、上記野地板換気装置を用いた本発明の小屋裏換気方法について説明する。
この発明では、図７に示す通り、まず野地板７及び下葺き材７ａに開口部８を設け、その開口部８に野地板換気装置１を覆設する。
【００３４】
開口部８の大きさは本発明において特に限定されないが、幅２０〜１００ｍｍ、長さ１００〜４００ｍｍ程度の縦長の孔を１個又は複数個設けるのが好ましい。
【００３５】
図７に示すように、本発明では開口部８に野地板換気装置１を覆設する。即ち、開口部８の後端側に、野地板換気装置１の上面部４が該開口部８を覆うように底面部２を下葺き材７ａを介して野地板７に釘やビス等の固定手段により固定する。
【００３６】
図８の鎖線矢印で示す通り、本発明においては主に野地板換気装置１の両側端６から小屋裏の空気を排気する。尚、一部は前側面部５の下方隙間から、又は前側面部５を野地板７に固定させた場合は、前側面部５の両側から前方の瓦と瓦の隙間へと排気される。なお、図９に破線矢印で示すとおり、野地板換気装置１の後側から下葺き材７ａを伝って流下してきた雨水は野地板換気装置１の側方を流れることになるが、図１３に示す従来例とは異なり、雨水は下葺き材上に滴下されるのではなく野地板７上の下葺き材７ａ上を流下するので風の影響を受けにくく、通常は開口部８内に雨水が流れ込むことはない。なお、野地板換気装置１を開口部８から外側へ５０〜１００ｍｍ突出するように設けて開口部側端８ｂが野地板換気装置側端６より５０〜１００ｍｍ内側にあるようにすると、強い横風が吹いて雨水の流路が変化したばあいでも開口部８内に雨水が流れ込まないので、より好ましい。
【００３７】
本発明においては、開口部８の周囲に防水土手９を設けるのが好ましい。図９に示す実施例５のように開口部８の全周にわたって設けるのが最も好ましいが、状況により開口部後端８ａと底面部２の間（後部防水土手９ａ）、開口部側端８ｂと野地板換気装置側端６の間（側部防水土手９ｂ）、開口部前端８ｃと前側面部５の間（前部防水土手９ｃ）にそれぞれ単独又は組み合わせて設けることも出来る。
なお、後部防水土手９ａを設けた場合は、万一、雨水が底面部２と野地板７上の下葺き材７ａの間から漏れ出たとしても堰き止めることが出来る（図９の一点鎖線矢印参照）。また、側部防水土手９ｂを設けた場合は強い横風が吹いて雨水の流路が変化した場合でも開口部８内に雨水が流れ込まない。更に、前部防水土手９ｃを設けた場合は屋根の前方の瓦と瓦の間から強い風が吹いて雨水が屋根の勾配に逆らって押し上げられた場合でもこれを堰き止めることが出来る。その結果、開口部８内への雨水の流入を完全に防止することが可能である。
【００３８】
防水土手９の材質としては、雨水を堰止めることができるものであれば特に制限はなく、例えば、ＥＰＤＭシーラー、軟質ウレタンフォーム、ポリエチレンフォーム等が好ましい。ここで、防水土手９の高さは５〜１０ｍｍ程度、幅は１０〜３０ｍｍ程度が適当である。なお、防水土手９は粘着テープ、接着剤などにより下葺き材７ａ上に貼り付けるのが好ましく、このような接着剤としてはアクリル接着剤、ブチルゴム接着剤などが好適に用いられる。
【００３９】
本発明においては、図１０に示す通り、野地板換気装置１と野地板７上の下葺き材７ａの間に止水用シール材２ｂを介在させてもよい。これにより、底面部２と下葺き材７ａの間から雨水が漏れ出すことを防止することが出来る。
【００４０】
止水用シール材２ｂの材質としては、ＥＰＤＭシーラー、軟質ウレタンフォーム、ポリエチレンフォーム等が好ましい。止水用シール材２ｂのサイズは底面部２と野地板７上の下葺き材７ａの間から雨水が浸入しないよう、底面部２下面の全長に渡って貼り付けられる大きさとする。好ましくは、底面部２下面の全面を止水用シール材２ｂで覆うようにする。ここで、止水用シール材２ｂの厚さは１〜３ｍｍ程度が好ましい。止水用シール材２ｂは粘着テープ、接着剤などにより底面部２に貼り付けるのが好ましく、このような接着剤としてはアクリル接着剤、ブチルゴム接着剤などが好適に用いられる。なお、チューブ入りのコーキング剤を施工の際に使用することも可能である。
勿論、底面部下面に止水用シール材を設けた野地板換気装置を用いると、施工時の上記作業は不要である。
【００４１】
本発明においては図１１に示すように、前側面部５と前方の瓦の後端Ｔａを接触させ、かつ上面部前端４ａを前方の瓦の後端Ｔａよりも上方とすることができる。これにより瓦Ｔの間から浸入した雨水を前方に押し返し内部への侵入を阻止することが出来る（図１１の破線矢印参照）。また、前側面部５と前方の瓦の後端Ｔａが接触するように配すると、ここから瓦Ｔの下に雨水が入り込まないので好ましい。前側面部５と瓦の後端Ｔａとの間にシール材を介在させるとより好ましい。なお、前方に押し返された雨水は通常の場合は重力に従い、屋根の前方に向かって流下していく。
【実施例】
【００４２】
実施例１
図１及び図２に実施例１に係る野地板換気装置１を示す。
実施例１の野地板換気装置１は底面部２と、後側面部３と、上面部４と、前側面部５からなる。底面部２には固定部２ａとして釘やビスを通すための孔が穿設されている。底面部２からは後側面部３が垂設されており、後側面部３からは上面部４が横設されており、上面部４の前端からは前側面部５が垂下されている。
【００４３】
この実施例１の野地板換気装置１はその全体において同一の断面を有する長尺構造体であるから、押出成形等により容易に製造することが出来る。また本発明の野地板換気装置１を野地板７及び下葺き材７ａに設けた開口部８に覆設することにより、開口部８から雨水が入り込まず好適に小屋裏の換気が出来る。
【００４４】
実施例２
図３及び図４に実施例２に係る野地板換気装置１を示す。
実施例２の野地板換気装置１は底面部２と、後側面部３と、上面部４と、前側面部５からなる。底面部２には固定部２ａとして釘やビスを通すための孔が穿設されている。また底面部２の裏面には止水用シール材２ｃが貼り付けられている。底面部２からは後側面部３が垂設されており、後側面部３からは上面部４が横設されており、上面部４の前端からは前側面部５が垂下されている。
【００４５】
この実施例２の野地板換気装置１はその全体において同一の断面を有する長尺構造体であるから、押出成形等により容易に製造することが出来る。また本発明の野地板換気装置１を野地板７に設けた開口部８に覆設することにより、開口部８から雨水が入り込まず好適に小屋裏の換気が出来る。さらに、野地板換気装置１を野地板７に取り付けたとき、底面部２と下葺き材７ａの間に止水用シール材２ｂが介在するので、ここからの雨水の漏れ出しは一層効果的に防止される。
【００４６】
実施例３
図５に実施例３に係る野地板換気装置１を示す。
実施例３の野地板換気装置１は、実施例１と同様、底面部２と、後側面部３と、上面部４と、前側面部５からなるが、後側面部３と上面部４と前側面部５が半円筒状に一連に設けられている。そのため、どこからどこまでが後側面部３、上面部４、前側面部５に該当するか明確に区別できないが、野地板７の後方から流れてきた雨水を野地板換気装置１の側方に押しやることができ、かつ開口部８を被覆することができ、かつ前方から飛来した水滴を防ぐことができるため、実質的にこれら後側面部３、上面部４、前側面部５を有する。
【００４７】
この実施例３の野地板換気装置１も実施例１と同様、その全体において同一の断面を有する長尺構造体であるから、押出成形等により容易に製造することが出来る。また本発明の野地板換気装置１を野地板７、下葺き材７ａに設けた開口部８に覆設することにより、開口部８から雨水が入り込まず好適に小屋裏の換気が出来る。
【００４８】
実施例４
図６に実施例４に係る野地板換気装置１を示す。この実施例４の野地板換気装置１は、上面部４に前側面部５を越えて鍔部１０を延設した他は実施例２と同様である。
この実施例４の野地板換気装置１は、鍔部１０を下方の瓦上に被されるように配設することにより、前方の瓦と瓦との間からの雨水が開口部に入るのを効果的に阻止することができる。
【００４９】
実施例５
図７〜図８に実施例５を示す。この実施例５は本発明の野地板換気装置を使用した小屋裏換気方法に関する実施例である。
実施例５では、野地板７及び下葺き材７ａに開口部８を設け、該開口部８を実施例１で示した野地板換気装置１で被覆している。野地板換気装置１は底面部２に設けられた固定部２ａにおいて釘で固定されている。
この実施例５においては図８の破線矢印に示されるとおり、小屋裏より上昇してきた空気は開口部８を通り、主に野地板換気装置１の両側端６から排出される。また野地板換気装置側端６は開口部側端８ｂから５０ｍｍ程度突出するように、即ち、開口部側端８ｂが野地板換気装置側端６よりも５０ｍｍ程度内側になるように設けられている。
【００５０】
この実施例５の小屋裏換気方法によれば、野地板７上の下葺き材７ａ上を後方から流下してきた雨水は野地板換気装置１の底面部２と後側面部３とにより制御され、該換気装置１の側方を流れるため、図１３に示す従来例の如く野地板換気装置１上から滴下される水滴となるようなことはなく、風により容易に雨水が飛ばされて開口部８から小屋裏に入り込むことはない。なお、強い横風が吹いた場合は野地板換気装置１の側部を流れる雨水も多少吹き流されるが、開口部側端８ｂは野地板換気装置側端６の５０ｍｍ内側にあるため、やはり開口部８に雨水が流れ込むことはない。
【００５１】
実施例６
図９に実施例６を示す。この実施例６は本発明の野地板換気装置を使用した小屋裏換気方法に関する実施例である。
実施例６は、実施例５における開口部８の周囲に、後部防水土手９ａ、側部防水土手９ｂ、前部防水土手９ｃを設けた例である。
【００５２】
この実施例６において通常の場合、後方から下葺き材７ａを伝って流下してきた雨水は野地板換気装置１の側方を迂回して前方に向かって流れる（図９の破線矢印参照）。ここで、万一、底面部２と野地板７上の下葺き材７ａの間から雨水が漏れた場合は、後部防水土手９ａで堰き止められて開口部８を迂回し、下方に流れる（図９の一点鎖線矢印参照）。ここで強い横風が吹いた場合でも雨水の流路は側部防水土手９ｂにより堰き止められているため、雨水が開口部８内に流れ込むことはない。さらに前方の瓦と瓦との隙間から強い風が吹いて野地板７の上の下葺き材７ａ上の雨水が重力に逆らって前方から吹き上がってきた場合でも前部防水土手９ｃに遮られて雨水が開口部８内に流れ込むことはない（図９の二点鎖線矢印参照）。
【００５３】
実施例７
図１０に実施例７を示す。この実施例７は本発明の野地板換気装置を使用した小屋裏換気方法に関する実施例で、上記実施例２に係る野地板換気装置１を開口部８に覆設した例である。
【００５４】
この実施例７では、底面部２と野地板７の上の下葺き材７ａの間に止水用シール材２ｂを介在させたことにより、底面部２と下葺き材７ａの間からの雨水が漏れ出しは一層効果的に阻止されるので、開口部８から雨水が小屋裏に流れ込むことがない。
【００５５】
実施例８
図１１に実施例８を示す。この実施例８は本発明の野地板換気装置を使用した小屋裏換気方法に関する実施例である。
実施例８は、実施例７において、前側面部５と前方の瓦の後端Ｔａを接触させ、かつ上面部４前端４ａを前方の瓦の後端Ｔａよりも上方とした例である。
【００５６】
この実施例８では、実施例７における前側面部５と前方の瓦の後端Ｔａを接触させたことにより、瓦Ｔ上の雨水が野地板換気装置１との間からは落ちにくくなる。さらに、上面部前端４ａを前方の瓦の後端Ｔａよりも上方としたことにより段差が生じるため、瓦Ｔの間から流れ込んできた雨水はこの段差により前方に押し返され、開口部８から雨水が浸入しにくくなる。
【００５７】
実施例９
図１２に実施例９を示す。この実施例９は本発明の野地板換気装置を使用した小屋裏換気方法に関する実施例である。
この実施例９では実施例４で示した野地板換気装置を使用し、鍔部１０を下方の瓦の水返しＴｂ上に被されるように配設されている。この実施例９では、瓦Ｔの間から雨水が侵入したとしても、下方の瓦の水返しＴｂ上に野地板換気装置１の鍔部１０が被さっているため、開口部８内への侵入は阻止される。
【産業上の利用可能性】
【００５８】
上記したとおり、本発明の野地板換気装置及び小屋裏換気方法は、野地板の上の下葺き材の後方から流下してきた雨水を野地板換気装置の側部に迂回させるように制御するとともに、前方の瓦と瓦の隙間から侵入してきた雨水を遮断するようにしたことにより、屋内への雨水の侵入を効果的に防止することが出来るものであり、小屋裏換気の分野で極めて有用性の高いものである。
【図面の簡単な説明】
【００５９】
【図１】実施例１の斜視図である。
【図２】実施例１のＡ−Ａ線断面図である。
【図３】実施例２の斜視図である。
【図４】実施例２のＡ−Ａ線断面図である。
【図５】実施例３の断面図である。
【図６】実施例４の断面図である。
【図７】実施例５の屋根の流れ方向の断面図である。
【図８】実施例５の屋根の流れ方向に対して垂直方向の断面図である。
【図９】実施例６における開口部付近の上面部を取り去った状態の平面図である。
【図１０】実施例７の屋根の流れ方向の断面図である。
【図１１】実施例８の屋根の流れ方向の断面図である。
【図１２】実施例９の屋根の流れ方向の断面図である。
【図１３】従来例屋根の流れ方向の断面図である。
【符号の説明】
【００６０】
１  野地板換気装置
２  底面部
２ａ  固定部
２ｂ  止水用シール材
３  後側面部
４  上面部
４ａ  上面部前端
５  前側面部
６  野地板換気装置側端
７  野地板
７ａ  下葺き材
８  開口部
８ａ  開口部後端
８ｂ  開口部側端
８ｃ  開口部前端
９  防水土手
９ａ  後部防水土手
９ｂ  側部防水土手
９ｃ  前部防水土手
１０  鍔部
Ｔ  瓦
Ｔａ  瓦の後端
Ｔｂ  瓦の水返し
Ａ  従来例の野地板換気装置
【図１】
0005224653.tif 000002
【図２】
0005224653.tif 000003
【図３】
0005224653.tif 000004
【図４】
0005224653.tif 000005
【図５】
0005224653.tif 000006
【図６】
0005224653.tif 000007
【図７】
0005224653.tif 000008
【図８】
0005224653.tif 000009
【図９】
0005224653.tif 000010
【図１０】
0005224653.tif 000011
【図１１】
0005224653.tif 000012
【図１２】
0005224653.tif 000013
【図１３】
0005224653.tif 000014